(57)【特許請求の範囲】
【請求項１】
データラインを介して接続された複数の発信端末と受信端末（１，２，３，４）との間でデジタルソースデータと制御データとを共通伝送する方法であって、前記ソースデータと制御データとが、長さが等しい個々のビットグループ（１０，１０’，１１，１１’，１２，１２’，１３，１４）のクロック同期順列を指定するフォーマットで伝送される方法において、
各ビットグループ（１０，１０’，１１，１１’，１２，１２’，１３，１４）に、単数又は複数のチェックビット（２２，２３，２４，２５，２６，２７，２８，２９，３０，３１）を設け、これらチェックビットを制御信号の伝送に使用し、
１つの制御信号をビット毎に、前記連続するビットグループ（１０，１０’，１１，１１’，１２，１２’，１３，１４）の前記チェックビット（２２，２３，２４，２５，２６，２７，２８，２９，３０，３１）に割り当てるとともに、前記すべての制御信号に共通の開始識別コードが各制御信号の初めに設けられているデジタルデータ伝送方法を、
リング状のネットワーク（５）を介して互いに接続された複数のネットワークメンバ（１，２，３，４）を有した通信システムにおいて、前記ネットワーク（５）を介して第１メンバ（２）から第２メンバ（１）へと制御データを伝送するのに使用する使用方法であって、
前記システムにおいて、１つのネットワークメンバがマスタ（４）として機能し、このマスタメンバが前記ビットグループ（１０，１１，１２，１３，１４）を特定の間隔で伝送し、
前記第１メンバ（２）はこのマスタ（４）によって送られたビットグループ（１０，１１，１２，１３，１４）を受信して、前記チェックビット（２２，２３，２４，２５）に単数又は複数の制御信号を割り当て、これらのビットグループ（１０’，１１’）を前記リング状ネットワークにおいて次のネットワークメバ（３）に送り、
前記マスタ（４）は、受け取った前記ビットグループ（１０’，１１’）から前記チェックビット（２２，２３，２４，２５）の内容を読み取り、これらのチェックビット（２２，２３，２４，２５）を送信すべき次のビットグループ（１１，１２）に割り当てる使用方法。
【請求項２】
請求項１に記載の使用方法であって、前記デジタルデータの伝送方法は、連続する複数のビットグループ（１０，１１，１２，１３）が、１つのブロック（２０）に連接され、ブロック開始識別コードが、１つのブロック（２０）の第１ビットグループ（１０）内のあるビット位置（１５）に割り当てられているものである、使用方法。
【請求項３】
請求項２に記載の使用方法であって、前記デジタルデータの伝送方法は、前記１つのブロック（２０）が９６のビットグループを有するものである、使用方法。
【請求項４】
請求項２又は３に記載の使用方法であって、前記デジタルデータの伝送方法は、前記開始識別コードが、各ブロック（２０）の前記第１ビットグループ（１０）のチェックビット（２２，２３）に割り当てられているものである、使用方法。
【請求項５】
請求項２〜４の何れか一項に記載の使用方法であって、前記デジタルデータの伝送方法は、前記制御信号の長さが、１つのブロック（２０）に存在するチェックビット（２２，２３，２４，２５，２６，２７，２８，２９）の数よりも小さいものである、使用方法。
【請求項６】
請求項２〜５の何れか一項に記載の使用方法であって、前記デジタルデータの伝送方法は、前記制御信号はすべて同じ長さを有するものである、使用方法。
【請求項７】
請求項１〜６の何れか一項に記載の使用方法であって、前記デジタルデータの伝送方法は、データライン（６，７，８，９）として光ファイバ及び／又は電気線が使用されているものである、使用方法。
【請求項８】
請求項１〜７の何れか一項に記載の使用方法であって、前記デジタルデータの伝送方法は、前記個々のビットのコード化が、バイフェーズ符号化によって行われるものである、使用方法。
【請求項９】
前記第２ネットワークメンバ（１）は、各場合において、１つのビットグループ（１１）の単数又は複数のビット位置（２４，２５）に割り当てられた前記開始識別コードから、前記制御信号の始まりを検出する請求項１〜８の何れか一項に記載の使用方法。
【請求項１０】
前記第１ネットワークメンバ（２）は、前記開始識別コードを、各ブロック（２０）の最初のビットグループ（１０）のチェックビット（２２，２３）に割り当てる請求項１〜９の何れか一項に記載の使用方法。
【請求項１１】
前記第１ネットワークメンバ（２）による前記開始識別コードの割り当て後、前記チェックビット（２２，２３，２４，２５，２６，２７，２８，２９）は、制御信号を他のすべてのネットワークメンバ（１，３，４）に伝送するために、具体的には、ブロックの次の始まりまで、ブロックされる請求項１〜１０の何れか一項に記載の使用方法。
【請求項１２】
自動車の通信システムのような移動通信システムに使用される請求項１〜１１の何れか一項に記載の使用方法。
【発明の詳細な説明】
【０００１】
【発明の属する技術分野】
本発明は、リンク型アーキテクチャのネットワークにおいてデータラインを介して発信端末と受信端末との間のデジタルソースデータと制御データの共通の伝送のための方法に関し、その際デジタルソースデータと制御データはあるフォーマットで伝送され、このフォーマットは同じ長さの個々のビットグループの時分割された列を定めている。その際、データラインを介して、デジタルソースデータと制御データはクロック信号に同期した連続的なデータフローの中で伝送される。このクロック信号は単一の加入機によって生成される。全ての他の加入機はこのクロック信号で同期される。このことは、ＡＴＭ方式などのパケット交換方式のような純粋な非同期データ伝送方式とは区別される。本発明は、更に、この上記方法の利用方法にも関する。
【０００２】
【従来の技術】
この種の方法は、互いに情報を交換することを意図した複数の種々の電気および電子装置が、時として複雑な方法で複数のデータラインを介して相互リンクされている場合に必ず使用される。例えば、オーディオの分野において、ＣＤプレーヤ、ラジオ受信機、カセットテープレコーダ等の相互リンクされた発信端末と、これらの発信端末に接続されたアンプ−スピーカ・コンビネーション等の受信端末との間の通信が、このような方法によって制御される。
【０００３】
ＣＤプレーヤの開発において、ＩＥＣ９５８とも呼称されている、いわゆるＳＰＤＩＦ（Ｓｏｎｙ／Ｐｈｉｌｉｐｓ  Ｄｉｇｉｔａｌ  Ｉｎｔｅｒｆａｃｅ  Ｆｏｒｍａｔ：ソニー／フィリップス・デジタルインターフェース規格）が標準として確立された。このフォーマット（規格）は、データを、２つのサブフレームからなるフレームとして伝送することを規定し、各サブフレームは、制御データ用の上位４ビットと、これに続くソースデータ用の２４ビットと、特殊制御データ用の下位４ビットとから構成されている。そして各フレームの一方のサブフレームが左側の音声チャンネルに当てられ、他方のサブフレームが右側の音声チャンネルに当てられる。
【０００４】
【発明が解決しようとする課題】
このフォーマットの硬直性は、複雑な通信システムにおいては不利である。というのは、複雑な通信システムにおいて重要な役割を果たす制御信号として僅かな数の信号しか送ることができないからである。
【０００５】
本発明の課題は、多数の様々な制御信号の伝送が可能な、デジタルのソースデータと制御データとを共通伝送するための方法を提供することにある。前記制御信号は、可能な限り、評価が単純で時間のかからないものであることが望ましい。
【０００６】
【課題を解決するための手段】
上記課題を達成するために、本発明によれば、冒記した方法において、各ビットグループに、単数または複数の、特に、２つのチェックビットを設け、これらチェックビットを制御信号の伝送に使用し、かつ、１つの制御信号をビット毎に、連続するビットグループの前記チェックビットに割り当てるとともに、これらのすべての制御信号に共通の開始識別コードが各制御信号の初めに設けられている。
連続するビットグループのチェックビットに複数の制御信号をビット毎に配置することにより、長さの大きい多数の大半の種々の制御信号を伝送することができる。そして、相互リンクされた装置は、それぞれ、制御信号の始まりを、すべての制御信号において共通の開始識別コード用のチェックビットをチェックすることによって非常に簡単に検出することができる。
【０００７】
本発明の一好適実施例において、連続する複数のビットグループは、１つのブロックに連接（ｃｏｍｂｉｎｅ）され、ブロック開始識別コードが、１つのブロックの第１ビットグループ内のあるビット位置に割り当てられる。好ましくは、１つのブロックは、９６のビットグループを有する。
複数の連続するビットグループを１つのブロックに連接することによって、連続して伝送される個々のビットグループ内のリファレンスポイントが、これらブロックの開始部分として形成される。各ビットグループのチェックビットは、適用されるビットグループの始まりから、同じ一定の間隔を有しているので、１つのブロックの各チェックビットは、前記ブロックの始まりから一定の間隔で離間されることになる。あるビットグループ用にのみ制御信号を許容する場合、ブロックの開始点から始めて、前記制御信号の開始識別コードを非常に簡単迅速に見つけ出すことができる。
【０００８】
一好適特徴構成において、前記開始識別コードは、各ブロックの前記第１ビットグループのチェックビットに割り当てられる。これによれば、制御信号は、それぞれ、１つのブロックの第１ビットグループのチェックビットにおいてのみ始まることができるので、従って、これらの制御信号を非常に容易に識別評価することが可能である。
【０００９】
更に別の特徴構成において、前記制御信号の長さは、１つのブロックに存在するチェックビットの数よりも小さい。その結果、例えば伝送の遅延によって、１つのブロック内である制御信号をシフトする時、１ブロック内においてその制御信号の全体が必ず伝送されるようにすることができる。このように構成すれば、次のブロックが始まった時、即時に、新たな制御信号を伝送することが可能となる。
【００１０】
好ましくは、前記制御信号は、すべて同じ長さを有する。その結果、一定の長さにより、制御信号の評価を簡単に行うことができるとともに、１つのブロック内において制御信号をシフトする場合に利用可能な「予備のチェックビット（ｒｅｓｅｒｖｅ  ｃｈｅｃｋ  ｂｉｔｓ）」の数を、すべての制御信号において同一にすることができ、これらすべての制御信号に対して、同じ最大許容シフト量を設定することが可能となる。
【００１１】
更に別の好適特徴構成において、データラインとして光ファイバ及び／又は電気線が使用される。特に、光ファイバを使用した場合、非常に高速のデータ伝送が可能である。更に、光ファイバを使用すれば非常に軽量であることから、これは特に自動車等の移動システムにおいて実用性が高い。
【００１２】
本発明の更に別の特徴構成において、前記個々のビットのコード化は、バイフェーズ符号化（ｂｉ−ｐｈａｓｅ  ｃｏｄｉｎｇ）によって行われる。これによって、ネットワーク内において、データ信号にコード化されたクロック信号をデータ信号とともに伝送することができる。
【００１３】
好ましくは、前記クロック信号は、マスタとして使用される発信端末／受信端末によって発生され、このクロック信号がその他の発信端末／受信端末によって位相ロックループ（ＰＬＬ回路）を介して受信され、これによってすべての発信端末及び受信端末がマスタによって発生された前記クロック信号に同期して作動する。
【００１４】
本発明の方法は、音声データの伝送に限られるものではなく、ファックスデータ、ステータスデータ、テレフォンカードデータ、その他の制御データ等の任意のデータの伝送にも使用可能である。例えば、冒記したオーディオ装置装置の以外に、ビデオカメラ、ビデオＣＤプレーヤ、電話機、ファックス機、マイクロフォン、ＣＤ−ＲＯＭ、コンピュータのハードディスク等の互いにリンクすることができる。更に、自動車において、外部ライトやタイヤの空気圧の機能をモニタする装置や、エンジン回転数やダーボチャージャのチャージ圧を測定する装置を組み合わせることも可能である。このようにすれば、例えば、タイヤの空気圧が低下している時に、スピーカから予め記憶された音声テキストとして警告を発生させることも可能である。
【００１５】
好ましくは、前記方法は、リング状のネットワークを介して互いに接続された複数のネットワークメンバを有した通信システムにおいて、前記ネットワークを介して第１メンバから第２メンバへと制御データを伝送するのに使用され、前記システムにおいて、１つのネットワークメンバがマスタとして機能し、このマスタメンバが前記ビットグループを特定の間隔で伝送し、第１メンバはこのマスタによって送られたビットグループを受信して、前記チェックビットに単数又は複数の制御信号を割り当て、これらのビットグループを前記リング状ネットワークにおいて次のネットワークメンバに送り、前記マスタは、受け取ったビットグループから前記チェックビットの内容を読み取り、これらのチェックビットを送信すべき次のビットグループに割り当てる。
このようにすれば、たとえこれら２つのネットワークメンバの間にマスタとして使用されるネットワークメンバが介在していたとしも、制御信号を第１メンバから第２メンバへと伝送することが可能である。このように、それぞれ１つの制御信号を構成するチェックビットの順列は不変である。発生するのは、前記マスタにおけるチェックビットの現在のビットグループから送るべき次のビットグループへの変換の結果としての制御信号全体のシフトのみである。
【００１６】
好ましくは、前記第２ネットワークメンバは、各場合において、１つのビットグループの単数又は複数のビット位置に割り当てられた前記開始識別コードから、前記制御信号の始まりを検出する。この構成によれば、マスタにおいて元のビットグループのチェックビットからその後のビットグループのチェックビットへ変換されたことによって、制御信号の開始点がシフトしてしまっている場合でも、第２ネットワークメンバは、この制御信号の開始点を検出することができる。制御信号の開始識別コードが検出されるまでは、この開始識別コードから始められる次のビットグループのチェックビットの評価は行われない。
【００１７】
好ましくは、前記第１ネットワークメンバは、前記開始識別コードを、各ブロックの最初のビットグループのチェックビットに割り当てる。その結果、存在するネットワークメンバの数とこの数に依存する伝送の遅延とに関連して、制御信号が常に１つのブロックの第１ビットグループの１つから開始するように構成される。そのため、ネットワークメンバは、制御信号の開始識別コードを得るために１つのブロックの第１ビットグループのみをチェックすればよい。更に、制御信号の長さとして適当な長さを選択することにより、制御信号の全体が、次のブロックへ延出することなく、常に１つのブロック内に納められる。
【００１８】
更に別の好適使用例において、第１ネットワークメンバによる開始識別コードの割り当て後、前記チェックビットは、制御信号を他のすべてのネットワークメンバに伝送するために、具体的には、ブロックの次の始まりまで、ブロック（使用禁止）される。この構成によれば、開始識別コードから、各ネットワークメンバは、現在のブロック内において、制御信号が既に別のネットワークメンバに伝送中であるか否かを判断し、次のブロックまでは、第１ネットワークメンバの制御信号の伝送が行われない。制御信号伝送しようとしているあるネットワークメンバによって、ブロックの第１ビットグループ内において開始識別コードが検出されない場合、このネットワークメンバは、開始識別コードを前記ブロックの第１ビットグループのチェックビットに割り当て、これによって、他のすべてのネットワークメンバは、このブロックが占領されているものと解釈する。
前記開始識別コードを同時に占領識別コードとしても使用することによって、使用されるフォーマット内において非常に少ないスペースでしかも評価の容易なコード化が可能になる。
【００１９】
本発明の方法は、静止通信システム、特に、家庭に設置された通信システムに利用すると有利である。更に、その大半が、音声、ビデオ、制御及びその他の種類のデータを発生及び／又は処理する複数のネットワークメンバから成るいわゆるマルチメディアシステムであってもよい。
本発明の方法は、移動通信システム、特に、自動車の通信システムにおいてきわめて有用である。自動車に使用される電子装置の数が増加し、これらの装置間のデータ通信の必要性が増していることから、このようなシステムにおいて本発明の方法を使用すると非常に有利である。
本発明のその他の特徴構成は従属請求項に記載の通りである。
【００２０】
【発明の効果】
本発明の１つの利点は、１つの通信システムの種々のメンバ間で、多数の様々な制御データを伝送することが可能であることである。これらの制御信号は、たとえ伝送の遅延によってシフトが発生した場合でも、簡単に短時間で検出、評価することができる。
【００２１】
【発明の実施の形態】
図１は、３つのネットワークメンバ１，２，３と、マスタとして使用されるネットワークメンバ４とを有するリング状ネットワークを示している。これらのネットワークメンバ１，２，３，４は、ラインセグメント６，７，８，９を介してリング状に相互接続されている。
図２は、それぞれのネットワークメンバ１，２，３とマスタメンバ（（Ｍ）４との間のデータの伝送を略示している。マスタ４は、ある間隔で、ビットグループ１０，１１，１２，１３，１４を、ラインセグメント９を介してネットワークメンバ１に送る。
ビットグループ１０の第１ビット１５とビットグループ１４の第１ビット１６には、ブロック開始識別コードとして「１」が格納され、これに対して、ビットグループ１１，１２，１３の第１ビット１７，１８，１９には、それぞれ、「０」が格納されている。このように、ビットグループ１０，１１，１２，１３が１つのブロックに併合され、一方、ビットグループ１４は、その後続のブロック２１の第１ビットグループを形成している。
【００２２】
前記ビットグループ１０，１１，１２，１３，１４は、それぞれ、２つのチェックビット２２，２３，２４，２５，２６，２７，２８，２９，３０，３１を有し、チェックビット２２，２３には、それぞれ、予め前記マスタからの割り当てによって「０」が格納されている。
マスタ４によって第１ビットグループ１０がラインセグメント９を介してネットワークメンバ１に送られると、これはすぐに当該メンバによって受け取られる。このネットワークメンバ１は、制御信号をネットワークメンバ３に伝送することになっているので、メンバ１は、開始識別コード「１１」を受け取った前記ビットグループ１０のチェックビット２２，２３に入れる。これらチェックビット２２，２３への格納の結果、ビットグループ１０，１０’の受信と送信との間にタイムラグがあるので、ビットグループ１０’は、ビットグループ１０から側方にオフセットして図示されている。
ネットワークメンバ２は、ビットグループ１０’を受け取り、そして、チェックビット２２，２３においてメモリに記憶されている前記開始識別コード「１１」から、ビットグループ１０’で、制御信号の始まり部分が伝送中であるとことを認識する。
【００２３】
次に、ネットワークメンバ２は、このビットグループ１０’をそのままの状態で、ラインセグメント７を介して、前記制御信号の実際の受信目標であるネットワークメンバ３に送る。このメンバ３も、メンバ２と同様に、チェックビット２２，２３に記憶されている開始識別コード「１１」から、制御信号が伝送されていることを認識する。
次に、ネットワークメンバ３は、ビットグループ１０’をラインセグメント８を介して前記マスタ４に送る。マスタ４は、ビットグループ１０’のチェックビット２２，２３から開始識別コード「１１」を読み取り、これを送るべき次のビットグループ１１のチェックビット２４，２５に伝送する。
【００２４】
クロック周波数によって特定される次のタイミングで、マスタ４は、新たなビットグループ１１をラインセグメント９を介してネットワークメンバ１へ送る。このネットワークメンバ１は、チェックビット２４，２５をビット列「０１」でオーバーライトし、これによって、ネットワークメンバ３を受信目標として指定するとともに、このメンバ３が実行するべき作業を指定する。次に、ネットワークメンバ１は、この改変ビットグループ１１’をラインセグメント６を介してネットワークメンバ２に送る。前述したように、該ビットグループの送信と受信との間には、ビットグループ１１に対するビットグループ１１’の側方オフセットによって示されているようなタイムラグが発生する。
【００２５】
ネットワークメンバ２がビットグループ１１’を受信すると、チェックビット２４，２５に「０１」が格納されていることから、自分がこの制御信号の受信目標ではないことを判別し、ビットグループ１１’をそのままの状態でラインセグメント７を介してネットワークメンバ３に送る。このネットワークメンバ３は、チェックビット２４，２５が前記ビット列「０１」を格納していることから、自分がこの制御信号の受信目標として指定されていることを認識し、その指定された適当な作業を実行する。
【００２６】
次に、ネットワークメンバ３は、前記ビットグループ１１’を、そのままの状態でラインセグメント８を介してマスタ４に伝送し、これによって、マスタ４は、チェックビット２４，２５においてメモリに格納された前記ビット列「０１」を、送るべき次にのビットグループ１２のチェックビット２６，２７に割り当てる。
特定のタイミングで、マスタ４は、この次のビットグループ１２をラインセグメント９を介してネットワークメンバ１に送り、このメンバ１は、ビットグループ１２のチェックビット２６，２７をリセット、即ち、これらのチェックビットに「００」を入れる。上述の例においては、制御信号はいずれも４ビットで一定であると想定したので、これらの制御信号の特別な終止識別コードは不要である。
【００２７】
図３は、ネットワークメンバ１によって伝送される制御信号「１１０１」を示している。この信号は、ネットワークメンバ３は、ブロック２０の第１ビットグループ１０’から始めて、この信号が「１１０１」によって自分を受信目標として指定するものであると正確に認識する。
図４は、ネットワークメンバ２からネットワークメンバ１への制御信号「１１１０」の伝送を略示している。これらメンバ２，１間にはマスタ４が介在しているので、制御信号側に１ビットのシフトが発生する。
ブロック２０の始めにおいて、図２を参照して前述したように、ビットグループ１０が、先ず、マスタ４によってラインセグメント９を介してネットワークメンバ１に送られる。この場合には、ネットワークメンバ１は、なんら制御信号を送るようにはなっていないので、該メンバ１は、単に、改変されないビットグループ１０をラインセグメント６を介してネットワークメンバ２に送るだけである。
【００２８】
後者のネットワークメンバ２は、ビットグループ１０のチェックビット２２，２３に開始識別コード「１１」が不在であることから、ブロック２０内において、まだどのネットワークメンバも制御信号を発信していないことを認識し、従って、該メンバ２は、チェックビット２２，２３に開始識別コード「１１」を入れる。次に、メンバ２は、この改変ビットグループ１０’をラインセグメント７を介してネットワークメンバ３に送る。
このネットワークメンバ２は、ビットグループ１０’のチェックビット２２，２３の開始識別コード「１１」から、制御信号がいま伝送されていることを認識し、ビットグループ１０’をラインセグメント８を介してマスタ４に送る。
【００２９】
マスタ４は、ビットグループ１０’のチェックビット２２，２３に入力された開始識別コード「１１」を送信すべき次のビットグループ１１のチェックビット２４，２５に送る。次のタイミングで、マスタ４は、このビットグループ１１をラインセグメント９を介してネットワークメンバ１に送る。このネットワークメンバ１は、該ブロックの開始以来始めてチェックビット２４，２５に入力され、かつ、制御信号の開始識別コードを表す、前記ビット列「１１」から、制御信号の開始を検出し、ビットグループ１１をそのままの状態でラインセグメント６を介してネットワークメンバ２に送る。
このネットワークメンバ２は、ビットグループ１１のチェックビット２４，２５を、ネットワークメンバ１を受信目標として指定するとともに、このメンバ１によって実行されるべき作業の制御信号であるビット列「１０」でオーバーライトする。
【００３０】
次に、ネットワークメンバ２は、このように改変されたビットグループ１１’をラインセグメント７を介してネットワークメンバ３に送り、このメンバ３は、チェックビット２４，２５に入力された前記ビット列「１０」から、自分がこの制御信号の受信目標であると認識する。従って、このメンバ３は、ビット列１１をラインセグメント８を介してマスタ４に送る。
マスタ４は、同様に、前記ビット列「１０」から、自分がこの制御信号の受信目標でないと認識し、ビットグループ１１’のチェックビット２４，２５に入力されたこのビット列「１０」を送信すべき次のビットグループ１１’のチェックビット２４，２５に送る。次のタイミングで、マスタ４は、ビットグループ１２をラインセグメント９を介してネットワークメンバ１に送る。このメンバ１は、このビットグループ１２のチェックビット２６，２７に入力された前記ビット列「１０」から、自分がこの制御信号の受信目標であると認識し、指定された適当な作業を実行する。
【００３１】
図５は、ネットワークメンバ２によって、ビット列「００１１」とともに送られるビット列「１１１０」を示し、これは、制御信号の受信目標として指定されたネットワークメンバ１が、常に１つのブロックの第１ビットグループのチェックビットから始まる、チェックビット２２，２３と２４，２５とを併合させた場合に発生するものである。本発明よって、制御信号の開始識別コードを評価する結果、正しい制御信号「１１１０」がネットワークメンバ１によってデコードされる。
４ビットである制御信号の長さが、ブロック２０中に８つの存在するチェックビット２２，２３，２４，２５，２６，２７，２８，２９の数よりも少ないように注意しなければならない。これによって、次のブロック２１の第１ビットグループ１４のチェックビット３０，３１が制御信号によってオーバーライトされることなく、ブロック２０内で制御信号を２ビット、即ち、１つのビットグループだけシフトすることが可能である。より長い遅延も許容するするためには、同じ制御信号の長さに対する一ブロック当りのチェックビットの数を増加させる。
【００３２】
更に、例えば図４を参照して前述したように、ピットグループ１０’のチェックビット２２，２３に割り当てられた開始識別コード「１１」は、例えば、ネットワークメンバ３がブロック２０が既に送られた制御信号によって占領されているか否かを検出するのにも利用可能であることが理解される。図４を参照して前述した状況においてネットワークメンバ２に加えて、ネットワークメンバ３も制御信号を送りたい場合、この後者のメンバ３は、前記開始識別信号「１１」から、ブロック２０内においてこれ以上制御信号を伝送することは不可能であることが判る。
【００３３】
尚、特許請求の範囲の項に図面との対照を便利にするために符号を記すが、該記入により本発明は添付図面の構造に限定されるものではない。
【図面の簡単な説明】
【図１】４つのネットワークメンバを有するリング状ネットワークを示す図
【図２】図１に示したネートワークにおいて１つのネットワークメンバから他のネットワークメンバへの制御信号の伝送を示す略図
【図３】図２のネットワークメンバによって発信及び受信される制御信号を示す図
【図４】図１に示したネートワークにおいて１つのネットワークメンバから他のネットワークメンバへの制御信号の伝送がマスタを介して行われる状態を示す図
【図５】本発明の方法が使用されない場合に、図４のネットワークメンバによって送信及び受信される制御信号のタイプを示す図
【符号の説明】
１、２、３、４    ネットワークメンバ
１０、１０’、１１、１１’、１２、１２’、１３、１４  ビットグループ
２０    ブロック
２２、２３、２４、２５、２６、２７、２８、２９、３０、３１  チェックビット
【図１】
0003789156.tif 000002
【図２】
0003789156.tif 000003
【図３】
0003789156.tif 000004
【図４】
0003789156.tif 000005
【図５】
0003789156.tif 000006